(57)【要約】【課題】ファスナーの取扱が容易で、しかも運送の取扱時や屋外等に保管される場合でもカバー全体が浮き上がりにくくできる。【解決手段】梱包用シートカバー１は、梱包体３を上方から覆って梱包するカバー本体１１を有し、カバー本体１１は、梱包体３の天面を覆うカバー上面１２と、このカバー上面１２の対応辺から延びて梱包体３の周囲の側面を覆うカバー周面１３とからなり、カバー周面１３の上部側全周１３ａに比べ下部開口側全周１３ｂを短い寸法とし、かつカバー周面１３の少なくとも１箇所にカバー本体１１を開閉するファスナー１４を設けている。【選択図】図４
2004338731.tif 000002
【特許請求の範囲】
【請求項１】
梱包体を上方から覆って梱包するカバー本体を有し、
前記カバー本体は、前記梱包体の天面を覆うカバー上面と、このカバー上面の対応辺から延びて前記梱包体の周囲の側面を覆うカバー周面とからなり、
前記カバー周面の上部側全周に比べ下部開口側全周を短い寸法とし、かつ前記カバー周面の少なくとも１箇所に前記カバー本体を開閉するファスナーを設けたことを特徴とする梱包用シートカバー。
【請求項２】
梱包体を上方から覆って梱包するカバー本体を有し、
前記カバー本体は、前記梱包体の天面を覆うカバー上面と、このカバー上面の対応辺から延びて前記梱包体の周囲の側面を覆うカバー周面とからなり、
前記カバー周面の少なくとも１箇所に前記カバー本体を開閉するファスナーを設け、
前記ファスナーは、開閉するファスナー開閉終端部を前記カバー上面より所定間隔離して設けたことを特徴とする梱包用シートカバー。
【請求項３】
梱包体を上方から覆って梱包するカバー本体を有し、
前記カバー本体は、前記梱包体の天面を覆うカバー上面と、このカバー上面の対応辺から延びて前記梱包体の周囲の側面を覆うカバー周面とからなり、
前記カバー周面の少なくとも１箇所に前記カバー本体を開閉するファスナーを設け、
前記ファスナーは、開閉するファスナー開閉始端部を前記カバー周面の開口側端部より所定位置突出させたことを特徴とする梱包用シートカバー。
【請求項４】
前記ファスナーは、前記カバー周面の１箇所の合わせ目に沿って設けたことを特徴とする請求項１乃至請求項３のいずれか１項に記載の梱包用シートカバー。
【請求項５】
前記ファスナーは、前記カバー周面の上部側より下部開口側への移動が閉じる方向で、前記カバー周面の下部開口側より上部側への移動が開く方向であることを特徴とする請求項１乃至請求項４のいずれか１項に記載の梱包用シートカバー。
【請求項６】
前記カバー上面の角部に、開口部を設け、
前記開口部から前記梱包体の滑り止め突起が突出可能であることを特徴とする請求項１乃至請求項５のいずれか１項に記載の梱包用シートカバー。
【請求項７】
前記カバー上面及びカバー周面のカバー表面に、着色層を設けたことを特徴とする請求項１乃至請求項６のいずれか１項に記載の梱包用シートカバー。
【請求項８】
前記カバー周面の下部開口側の角部に、前記梱包体に係止する固定用ベルトを設けたことを特徴とする請求項２乃至請求項７のいずれか１項に記載の梱包用シートカバー。
【請求項９】
前記カバー本体が防水性であることを特徴とする請求項１乃至請求項８のいずれか１項に記載の梱包用シートカバー。
【発明の詳細な説明】
【０００１】
【発明の属する技術分野】
この発明は、スノーモービル、自動二輪車等の運搬、保管時に使用する梱包用シートカバーに関する。
【０００２】
【従来の技術】
例えば、家具類等の不規則形状の物品の運送に際し、各々の物品毎にラックに入れて袋状カバーで覆って２箇所をファスナーで止めて取扱いを容易にしたものがある（例えば特許文献１）。また、例えば、自動車等の物品の運送に際し、各々の物品毎にコンテナに入れて運搬用防水カバーで覆って前後４箇所をファスナーで止めて取扱いを容易にしたものがある（例えば特許文献２）。
【０００３】
【特許文献１】
実公平８−２５７号公報（第１〜第４頁、図１）
【０００４】
【特許文献２】
特開平１０−２４９５９号公報（第１〜第３頁、図１）
【０００５】
【発明が解決しようとする課題】
このように、従来からラックやコンテナ等の梱包体を、袋状カバーや運搬用防水カバー等の梱包用シートカバーで覆っているが、ファスナーで開閉するために、ファスナーの取り付け位置等によっては開閉作業を円滑に行なうことが困難であったり、例えば運送の際の取扱時にファスナーが緩み開いたり、あるいは特に屋外等に保管される場合、風によるバタツキによってファスナーが緩み開く等の問題がある。
【０００６】
この発明は、従来のかかる実情に鑑みてなされたもので、ファスナーの取扱が容易で、しかも運送の取扱時や屋外等に保管される場合でもカバー全体が浮き上がりにくくできる梱包用シートカバーを提供することを目的としている。
【０００７】
【課題を解決するための手段】
前記課題を解決し、かつ目的を達成するために、この発明は、以下のように構成した。
【０００８】
請求項１に記載の発明は、梱包体を上方から覆って梱包するカバー本体を有し、
前記カバー本体は、前記梱包体の天面を覆うカバー上面と、このカバー上面の対応辺から延びて前記梱包体の周囲の側面を覆うカバー周面とからなり、
前記カバー周面の上部側全周に比べ下部開口側全周を短い寸法とし、かつ前記カバー周面の少なくとも１箇所に前記カバー本体を開閉するファスナーを設けたことを特徴とする梱包用シートカバーである。
【０００９】
この請求項１に記載の発明によれば、カバー周面の上部側全周に比べ下部開口側全周を短い寸法とし、かつカバー周面の少なくとも１箇所にカバー本体を開閉するファスナーを設けたから、運送の取扱時や屋外等に保管される場合でもカバー全体が浮き上がりにくくできる。
【００１０】
請求項２に記載の発明は、梱包体を上方から覆って梱包するカバー本体を有し、
前記カバー本体は、前記梱包体の天面を覆うカバー上面と、このカバー上面の対応辺から延びて前記梱包体の周囲の側面を覆うカバー周面とからなり、
前記カバー周面の少なくとも１箇所に前記カバー本体を開閉するファスナーを設け、
前記ファスナーは、開閉するファスナー開閉終端部を前記カバー上面より所定間隔離して設けたことを特徴とする梱包用シートカバーである。
【００１１】
この請求項２に記載の発明によれば、ファスナーは、開閉するファスナー開閉終端部を前記カバー上面より所定間隔離して設けたことで、カバー本体を梱包体に装着するときに、ファスナーが邪魔にならずカバー上部の位置決めが容易である。
【００１２】
請求項３に記載の発明は、梱包体を上方から覆って梱包するカバー本体を有し、
前記カバー本体は、前記梱包体の天面を覆うカバー上面と、このカバー上面の対応辺から延びて前記梱包体の周囲の側面を覆うカバー周面とからなり、
前記カバー周面の少なくとも１箇所に前記カバー本体を開閉するファスナーを設け、
前記ファスナーは、開閉するファスナー開閉始端部を前記カバー周面の開口側端部より所定位置突出させたことを特徴とする梱包用シートカバーである。
【００１３】
この請求項３に記載の発明によれば、ファスナーは、開閉するファスナー開閉始端部をカバー周面の開口側端部より所定位置突出させたから、運送の際の取扱時や特に屋外等に保管される場合、風によるバタツキによっても、開口側端部より所定位置突出するファスナー開閉始端部に開くような力がかからずファスナーが緩み開くことを防止することができる。
【００１４】
請求項４に記載の発明は、前記ファスナーは、前記カバー周面の１箇所の合わせ目に沿って設けたことを特徴とする請求項１乃至請求項３のいずれか１項に記載の梱包用シートカバーである。
【００１５】
この請求項４に記載の発明によれば、ファスナーは、カバー周面の１箇所の合わせ目に沿って設けたことで、１箇所の開閉作業で済み取扱が容易である。
【００１６】
請求項５に記載の発明は、前記ファスナーは、前記カバー周面の上部側より下部開口側への移動が閉じる方向で、前記カバー周面の下部開口側より上部側への移動が開く方向であることを特徴とする請求項１乃至請求項４のいずれか１項に記載の梱包用シートカバーである。
【００１７】
この請求項５に記載の発明によれば、ファスナーは、カバー周面の上部より下部開口側への移動が閉じる方向で、カバー周面の下部開口側より上部への移動が開く方向であり、梱包体を上方から覆って梱包するファスナーによる取扱いが容易である。
【００１８】
請求項６に記載の発明は、前記カバー上面の角部に、開口部を設け、
前記開口部から前記梱包体の滑り止め突起が突出可能であることを特徴とする請求項１乃至請求項５のいずれか１項に記載の梱包用シートカバーである。
【００１９】
この請求項６に記載の発明によれば、カバー上面の角部に設けた開口部から梱包体の滑り止め突起が突出可能であり、上段に積み荷する場合に滑り止め突起が容易に目視でき、上段の荷を確実に滑り止め突起内に置くことを可能にする。
【００２０】
請求項７に記載の発明は、前記カバー上面及びカバー周面のカバー表面に、着色層を設けたことを特徴とする請求項１乃至請求項６のいずれか１項に記載の梱包用シートカバーである。
【００２１】
この請求項７に記載の発明によれば、カバー上面及びカバー周面のカバー表面に、着色層を設けたことで、取扱いでの局部的に強い力がかかった場合に表面の着色層が剥がれ、あるいは色が替わる等で損傷場所が判かり易い。好ましい例としてはベース（母体）は透明ではなく、着色を層との相対比較において、色合い差及び／又はコントラストの差が大きい色に着色されていることが望ましく、着色層の剥れを発見し易い。
【００２２】
請求項８に記載の発明は、前記カバー周面の下部開口側の角部に、前記梱包体に係止する固定用ベルトを設けたことを特徴とする請求項２乃至請求項７のいずれか１項に記載の梱包用シートカバーである。
【００２３】
この請求項８に記載の発明によれば、カバー周面の下部開口側の角部に、梱包体に係止する固定用ベルトを設けたことで、固定用ベルトにより下部開口側の開きを防止することができる。
【００２４】
請求項９に記載の発明は、前記カバー本体が防水性であることを特徴とする請求項１乃至請求項８のいずれか１項に記載の梱包用シートカバーである。
【００２５】
この請求項９に記載の発明によれば、カバー本体が防水性であり、特に屋外等で保管する場合に最適である。
【００２６】
【発明の実施の形態】
以下、この発明の梱包用シートカバーの実施の形態を、図面に基づいて詳細に説明するが、この発明は、この実施の形態に限定されない。また、この発明の実施の形態は、発明の最も好ましい形態を示すものであり、この発明の用語の意義は、これに限定されない。
【００２７】
図１は物品を梱包した状態の断面図、図２は梱包体の斜視図、図３は梱包体の滑り止め突起の斜視図、図４は梱包用シートカバーの斜視図、図５は梱包用シートカバーの開口部の拡大図、図６はファスナーを開いた状態の斜視図、図７は梱包用シートカバーの断面図である。
【００２８】
不規則形状の物品、例えばスノーモービルを運送したり、保管する際には、スノーモービルをコンテナ等の包装体に入れ、この包装体を梱包用シートカバー１で覆って運送、あるいは保管する。
【００２９】
この実施の形態では不規則形状の物品として、図１に示すように、スノーモービル２を示しており、このスノーモービル２を包装体３に収納する。包装体３は、載置台３ａと、包装本体３ｂを有し、この載置台３ａと包装本体３ｂは、例えば鉄材で構成される。
【００３０】
この載置台３ａには段積みするための脚部３ｃが設けられ、包装本体３ｂの４角部には滑り止め突起３ｄが設けられている。滑り止め突起３ｄは、図２及び図３に示すように、角部に一対のテーパ片３ｄ１を合わせた形状に構成される。スノーモービル２を載置台３ａ上に置き、スノーモービル２の前側部を固定具４で止め、後側部を係止具５で止める。この固定具４は、例えばリンクボルトで構成され、係止具５は例えばフックで構成される。
【００３１】
この実施の形態の梱包用シートカバー１は、梱包体３を上方から覆って梱包するカバー本体１１を有し、ビニ−ル製の防水性であり、特に屋外等で保管する場合に最適である。
【００３２】
カバー本体１１は、梱包体３の天面を覆うカバー上面１２と、このカバー上面１２の対応辺から延びて梱包体３の周囲の４側面を覆うカバー周面１３とからなる。カバー本体１１は、図４に示すように、カバー周面１３の上部側全周１３ａに比べ下部開口側全周１３ｂを短い寸法とし、かつカバー周面１３の１箇所にカバー本体１１を開閉するファスナー１４が設けられている。このファスナー１４を、カバー周面１２の１箇所の合わせ目に沿って設けたことで、１箇所の開閉作業で済み取扱が容易である。
【００３３】
この実施の形態のカバー本体１１は、カバー周面１３の上部側全周１３ａに比べ下部開口側全周１３ｂを短い寸法とし、かつカバー周面１３の１箇所にカバー本体１１を開閉するファスナー１４を設けたから、運送の取扱時や屋外等に保管される場合でもカバー全体が浮き上がりにくくできる。
【００３４】
このファスナー１４は、開閉するファスナー開閉終端部１４ａと、開閉するファスナー開閉始端部１４ｂとを有する。ファスナー１４は、カバー周面１２の上部側より下部開口側への移動が閉じる方向で、カバー周面１３の下部開口側より上部側への移動が開く方向であり、梱包体３を上方から覆って梱包するファスナー１４による取扱いが容易である。
【００３５】
このファスナー１４は、ファスナー開閉終端部１４ａをカバー上面１２より所定間隔Ｌ１離して設け、開閉するファスナー開閉始端部１４ｂをカバー周面１３の開口側端部より所定位置突出させている。
【００３６】
ファスナー開閉終端部１４ａは、カバー上面１２より所定位置、即ち図４に示すように、カバー上面１２より所定間隔Ｌ１離れた下方位置に設けている。このように、ファスナー１４は、カバー上面１２より所定位置下方から下部開口側に設けたことで、カバー本体１１を梱包体３に装着するときに、ファスナー１４が邪魔にならずカバー上部の位置決めが容易である。
【００３７】
また、ファスナー１４は、ファスナー開始端部１４ｂをカバー周面１３の開口側端部１３ｂより所定位置突出させ、運送する際の取扱時や特に屋外等に保管される場合、風によるバタツキによっても、開口側端部１３ｂより所定位置突出するファスナー開閉始端部１４ｂに開くような力がかからずファスナーが緩み開くことを防止することができる。
【００３８】
また、カバー本体１１は、カバー上面１２の４箇所の角部に、開口部３０を設けている。この開口部３０は、図５に示すように、カバー上面１２の４箇所の角部に切り込みを入れ、三角部１２ｃを裏側に折り返して縫製する。
【００３９】
この開口部３０から梱包体３の滑り止め突起３ｄが突出可能である。梱包体３を梱包用シートカバー１によって上方から覆い、この梱包用シートカバー１で覆った梱包体３を積み重ねる際に、下段の開口部３０から突出する滑り止め突起３ｄに、上段の梱包体３の載置台３ｂの角部が係合して位置決めされ、段積み時に滑ることがないようにしている。上段に積み荷する場合に梱包体３の滑り止め突起３ｄが容易に目視でき、上段の荷を確実に滑り止め突起３ｄ内に置くことを可能にする。
【００４０】
こような段積みで、フォークリフトを用いて上段の梱包体３の出し入れ行なわれ、この出し入れの時に、特に入れる時に下段の梱包体３の奥側の滑り止め突起３ｄに、上段の梱包体３の載置台３ｂが接触しても、一対のテーパ片３ｄ１によって引っ掛かることがなくガイドされて、円滑に出し入れができる。また、段積みで、コンテナからの出し入れ時、最上段の梱包体３の滑り止め突起３ｄがコンテナの開口部の上部に引っ掛かることがなくガイドされて、円滑に出し入れができる。
【００４１】
また、この実施の形態の梱包用シートカバー１は、図７に示すように、カバー本体１１のカバー上面１２及びカバー周面１３のベース４０に着色層４１を設けている。ベース４０は、白色のＰＥクロスで構成され、着色層４１は表面フィルムに着色または印刷して構成される。好ましい例としてはベース（母体）４０は透明ではなく、着色を層との相対比較において、色合い差及び／又はコントラストの差が大きい色に着色されていることが望ましく、着色層の剥れを発見し易い。
【００４２】
このように、カバー上面１２及びカバー周面１３のカバー表面に、着色層４１を設けたことで、取扱いでの局部的に強い力がかかった場合に、その部分４２の表面の着色層４１が剥がれ、あるいはベース４０の色が見えることで色が替わる等で損傷場所が判かり易い。
【００４３】
また、梱包体３を覆う梱包用シートカバー１は、例えばプラスチック製のバンド止め６０で止めて風等でバタツカないようにしてもよい。
【００４４】
次に、梱包用シートカバーの他の実施の形態を図８乃至図１０に示す。図８は梱包用シートカバーの斜視図、図９は物品を梱包した状態の斜視図、図１０は梱包用シートカバーの固定部の斜視図である。
【００４５】
この実施の形態の梱包用シートカバー１は、図１乃至図７の実施の形態と同様に構成される部材は、同じ符号を付して説明を省略する。この実施の形態では、カバー周面１３の下部開口側１３ｂの４箇所の角部に、梱包体３の下角部３ｅに係止する固定用ベルト５０を設け、この固定用ベルト５０により下部開口側１３ｂの開きを防止することができる。
【００４６】
このように、梱包体３の下角部３ｅに係止する固定用ベルト５０を設けることで、カバー周面１３の上部側全周１３ａより下部開口側全周１３ｂを絞ることが不要になる。
【００４７】
【発明の効果】
前記したように、請求項１に記載の発明では、カバー周面の上部側全周に比べ下部開口側全周を短い寸法とし、かつカバー周面の少なくとも１箇所にカバー本体を開閉するファスナーを設けたから、運送の取扱時や屋外等に保管される場合でもカバー全体が浮き上がりにくくできる。
【００４８】
請求項２に記載の発明では、ファスナーは、開閉するファスナー開閉終端部をカバー上面より所定間隔離して設けたことで、カバー本体を梱包体に装着するときに、ファスナーが邪魔にならずカバー上部の位置決めが容易である。
【００４９】
請求項３に記載の発明では、ファスナーは、開閉するファスナー開閉始端部をカバー周面の開口側端部より所定位置突出させたから、運送に際の取扱時や特に屋外等に保管される場合、風によるバタツキによっても、開口側端部より所定位置突出するファスナー開閉始端部に開くような力がかからずファスナーが緩み開くことを防止することができる。
【００５０】
請求項４に記載の発明では、ファスナーは、カバー周面の１箇所の合わせ目に沿って設けたことで、１箇所の開閉作業で済み取扱が容易である。
【００５１】
請求項５に記載の発明では、ファスナーは、カバー周面の上部より下部開口側への移動が閉じる方向で、カバー周面の下部開口側より上部への移動が開く方向であり、梱包体を上方から覆って梱包するファスナーによる取扱いが容易である。
【００５２】
請求項６に記載の発明では、カバー上面の角部に設けた開口部から梱包体の滑り止め突起が突出可能であり、上段に積み荷する場合に滑り止め突起が容易に目視でき、上段の荷を確実に滑り止め突起内に置くことを可能にする。
【００５３】
請求項７に記載の発明では、カバー上面及びカバー周面のカバー表面に、着色層を設けたことで、取扱いでの局部的に強い力がかかった場合に表面の着色層が剥がれ、あるいは色が替わる等で損傷場所が判かり易い。
【００５４】
請求項８に記載の発明では、カバー周面の下部開口側の角部に、梱包体に係止する固定用ベルトを設けたことで、固定用ベルトにより下部開口側の開きを防止することができる。
【００５５】
請求項９に記載の発明では、カバー本体が防水性であり、特に屋外等で保管する場合に最適である。
【図面の簡単な説明】
【図１】物品を梱包した状態の断面図である。
【図２】梱包体の斜視図である。
【図３】梱包体の滑り止め突起の斜視図である。
【図４】梱包用シートカバーの斜視図である。
【図５】梱包用シートカバーの開口部の拡大図である。
【図６】ファスナーを開いた状態の斜視図である。
【図７】梱包用シートカバーの断面図である。
【図８】梱包用シートカバーの斜視図である。
【図９】物品を梱包した状態の斜視図である。
【図１０】梱包用シートカバーの固定部の斜視図である。
【符号の説明】
１  梱包用シートカバー
２  スノーモービル
３  包装体
１１  カバー本体
１２  カバー周面
１３  カバー周面
１４  ファスナー
【図１】
2004338731.tif 000003
【図２】
2004338731.tif 000004
【図３】
2004338731.tif 000005
【図４】
2004338731.tif 000006
【図５】
2004338731.tif 000007
【図６】
2004338731.tif 000008
【図７】
2004338731.tif 000009
【図８】
2004338731.tif 000010
【図９】
2004338731.tif 000011
【図１０】
2004338731.tif 000012